【手続補正書】
【提出日】平成20年7月11日(2008.7.11)
【手続補正１】
【補正対象書類名】明細書
【補正対象項目名】特許請求の範囲
【補正方法】変更
【補正の内容】
【特許請求の範囲】  
【請求項１】画像ファイル生成装置であって、
画像データを生成する画像データ生成手段と、
前記画像ファイル生成装置の特性および画像出力装置の特性に基づいて決定されるとともに、前記画像出力装置における画像処理に用いる画像処理制御情報、並びに前記生成された画像データを含む画像ファイルを生成する画像ファイル生成手段と、
を備える画像ファイル生成装置。
【請求項２】請求項１に記載の画像ファイル生成装置において、
前記画像処理制御情報は、ガンマ補正情報、色空間情報、コントラスト情報、カラーバランス情報、シャープネス情報、色補正情報、シャドーポイント情報、ハイライトポイント情報、明度補正情報、および強調色情報の少なくともいずれか１つを含む画像ファイル生成装置。
【請求項３】画像データを生成する画像データ生成手段と、
画像出力装置における色空間変換処理に用いる第１の情報、前記画像出力装置における画質調整処理に用いる第２の情報、並びに前記生成された画像データを含む画像ファイルを生成する画像ファイル生成手段と、
を備える画像ファイル生成装置。
【請求項４】請求項３に記載の画像ファイル生成装置において、
前記第１の情報は、ガンマ補正情報、色空間情報および負値処理情報の少なくとも１つを含む画像ファイル生成装置。
【請求項５】請求項３または請求項４に記載の画像ファイル生成装置において、
前記第２の情報は、シャドーポイント情報、ハイライトポイント情報、コントラスト情報、明度補正情報、カラーバランス情報、彩度情報、シャープネス情報、及び記憶色補正情報の少なくとも１つを含む画像ファイル生成装置。
【請求項６】請求項１ないし請求項５のいずれかに記載の画像ファイル生成装置において、
前記画像ファイル生成装置はディジタルスチルカメラである画像ファイル生成装置。
【請求項７】画像ファイル生成装置を制御するプログラムであって、
画像データを生成する機能と、
前記画像ファイル生成装置の特性および画像出力装置の特性に基づいて決定されるとともに、前記画像出力装置における画像処理に用いる画像処理制御情報、並びに前記生成された画像データを含む画像ファイルを生成する機能と、
をコンピュータによって実現させるプログラム。
【請求項８】画像データを生成する機能と、
画像出力装置における色空間変換処理に用いる第１の情報、前記画像出力装置における画質調整処理に用いる第２の情報、並びに前記生成された画像データを含む画像ファイルを生成する機能と、
をコンピュータによって実現させるプログラム。
【請求項９】画像出力装置であって、    
画像データ、並びに画像ファイル生成装置の特性および前記画像出力装置の特性に基づいて決定されるとともに、前記画像出力装置における画像処理に用いる画像処理制御情報、を含む画像ファイルを取得する画像ファイル取得手段と、
前記画像処理制御情報に基づいて、前記画像データに対して画像処理を実行する画像処理手段と、
前記画像処理が実行された画像データに基づいて画像を出力する画像出力手段と、
を備える画像出力装置。
【請求項１０】画像出力装置であって、
前記画像出力装置における色空間変換処理に用いる第１の情報、前記画像出力装置における画質調整処理に用いる第２の情報、並びに画像データを含む画像ファイルを取得する画像ファイル取得手段と、
前記第１の情報に基づいて、前記画像データに対して前記色空間変換処理を実行する色空間変換手段と、
前記第２の情報に基づいて、前記色空間変換処理が実行された画像データに対して前記画質調整処理を実行する画質調整処理手段と、
前記画質調整処理が実行された画像データに基づいて画像を出力する画像出力手段と、
を備える画像出力装置。
【請求項１１】画像出力装置であって、
前記画像出力装置における色空間変換処理に用いる第１の情報、前記画像出力装置における画質調整処理に用いる第２の情報、並びに画像データを含む画像ファイルを取得する画像ファイル取得手段と、
前記第２の情報に基づいて、前記画像データに対して前記画質調整処理を実行する画質調整処理手段と、
前記第１の情報に基づいて、前記画質調整処理が実行された画像データに対して前記色空間変換処理を実行する色空間変換処理手段と、
前記色空間変換処理が実行された画像データに基づいて画像を出力する画像出力手段と、
を備える画像出力装置。
【請求項１２】画像出力装置であって、
画像データ、および前記画像出力装置における画像処理に用いる画像処理制御情報、を含む画像ファイルを取得する画像ファイル取得手段と、
前記画像処理制御情報、および前記画像データの特性情報に基づいて、前記画像データに対して画像処理を実行する画像処理手段と、
前記画像処理が実行された画像データに基づいて画像を出力する画像出力手段と、
を備える画像出力装置。
【請求項１３】請求項１２に記載の画像出力装置であって、
前記画像データの特性情報は、前記画像データを解析することによって取得される情報である、
画像出力装置。
【請求項１４】画像ファイル生成装置と画像出力装置とを用いて画像を出力する画像出力方法であって、
前記画像ファイル生成装置が、画像データを生成する工程と、
前記画像ファイル生成装置が、前記画像ファイル生成装置の特性および前記画像出力装置の特性に基づいて決定されるとともに、前記画像出力装置における画像処理に用いる画像処理制御情報、並びに前記生成された画像データを含む画像ファイルを生成する工程と、
前記画像出力装置が、前記画像ファイル生成装置によって生成された画像ファイルを取得する工程と、
前記画像出力装置が、前記取得した画像ファイルに含まれる画像処理制御情報に基づいて、前記取得した画像ファイルに含まれる画像データに対して画像処理を実行する工程と、
前記画像出力装置が、前記画像処理が実行された画像データに基づいて画像を出力する工程と、
を含む画像出力方法。
【請求項１５】画像ファイル生成装置と画像出力装置とを用いて画像を出力する画像出力方法であって、
前記画像ファイル生成装置が、画像データを生成する工程と、
前記画像ファイル生成装置が、前記画像出力装置における色空間変換処理に用いる第１の情報、前記画像出力装置における画質調整処理に用いる第２の情報、並びに前記生成された画像データを含む画像ファイルを生成する工程と、
前記画像出力装置が、前記画像ファイル生成装置によって生成された画像ファイルを取得する工程と、
前記画像出力装置が、前記取得した画像ファイルに含まれる第１の情報に基づいて、前記取得した画像ファイルに含まれる画像データに対して前記色空間変換処理を実行する工程と、
前記画像出力装置が、前記取得した画像ファイルに含まれる第２の情報に基づいて、前記色空間変換処理が実行された画像データに対して前記画質調整処理を実行する工程と、
前記画像出力装置が、前記画質調整処理が実行された画像データに基づいて画像を出力する工程と、
を含む画像出力方法。
【請求項１６】画像ファイル生成装置と画像出力装置とを用いて画像を出力する画像出力方法であって、
前記画像ファイル生成装置が、画像データを生成する工程と、
前記画像ファイル生成装置が、前記画像出力装置における色空間変換処理に用いる第１の情報、前記画像出力装置における画質調整処理に用いる第２の情報、並びに前記生成された画像データを含む画像ファイルを生成する工程と、
前記画像出力装置が、前記画像ファイル生成装置によって生成された画像ファイルを取得する工程と、
前記画像出力装置が、前記取得した画像ファイルに含まれる第２の情報に基づいて、前記取得した画像ファイルに含まれる画像データに対して前記画質調整処理を実行する工程と、
前記画像出力装置が、前記取得した画像ファイルに含まれる第１の情報に基づいて、前記画質調整処理が実行された画像データに対して前記色空間変換処理を実行する工程と、
前記画像出力装置が、前記色空間処理が実行された画像データに基づいて画像を出力する工程と、
を含む画像出力方法。